(57)【要約】      （修正有）【課題】モルタル壁面の建築構造物の外壁に於ける亀裂問題を払拭させ、安全強固な補強が行われるようにするための工法及び該工法で使用する座金製品の提供。【解決手段】ラス板２上面にラス板３を張ってモルタル５塗りを施したモルタル外壁に対し、モルタル塗り上面の凡そ２０ｃｍ〜１００ｃｍの桝目間隔に凹穴６を形成し、各凹穴に対し座金７を嵌入させると共に、該座金を介しラス板に向かってネジ釘９を打ち込み、ネジ釘先端をラス板に到達させたのち、各凹穴内にはモルタルを填入して座金が露出しないように仕上げを行う。このさい、凹穴の深さは２ｍｍ〜５ｍｍ、表面積３ｃｍ２〜３０ｃｍ２であり、且つ座金は肉厚凡そ１ｍｍ〜２ｍｍ、直径２ｃｍ〜５ｃｍの金属製又は合成樹脂製の板状体面に対し、凡そ３ｍｍ〜１０ｍｍの透孔８を多数穿設したものとなす。【選択図】      図３
2004308367.tif 000002
【特許請求の範囲】
【請求項１】
ラス板上面にラス板を張ってモルタル塗りを施したモルタル外壁に対し、モルタル塗り上面の凡そ２０ｃｍ〜１００ｃｍの桝目間隔に凹穴を形成し、各凹穴に対し座金を嵌入させると共に、該座金を介しラス板に向かってネジ釘を打ち込み、ネジ釘先端をラス板に到達させたのち、各凹穴内にはモルタルを填入して座金が露出しないように仕上げ塗りを行うことを特徴とするモルタル外壁の補強工法。
【請求項２】
凹穴は深さ２ｍｍ〜５ｍｍ、表面積３ｃｍ２〜３０ｃｍ２になされることを特徴とする請求項１記載のモルタル外壁の補強工法。
【請求項３】
座金は肉厚凡そ１ｍｍ、直径２ｃｍ〜５ｃｍの金属製又は合成樹脂製の板状体面に対し、凡そ３ｍｍ〜１０ｍｍの透孔を多数穿設したものとなしてあることを特徴とする請求項１記載のモルタル外壁の補強工法。
【請求項４】
肉厚凡そ１ｍｍ〜２ｍｍ、直径２ｃｍ〜５ｃｍの金属製又は合成樹脂製の板状体面に対し、中央に３ｍｍ〜１０ｍｍの透孔を穿設し、その周囲に２ｍｍ〜６ｍｍの透孔を等間隔に一列或いは複数列の同心円状に配設したものとなしてあることを特徴とする請求項１〜３の何れか１つに記載のモルタル外壁の補強工法で使用する座金。
【発明の詳細な説明】
【０００１】
【発明の属する技術分野】
本発明はモルタル外壁の補強工法及び該工法で使用する座金に関する。
【０００２】
【従来の技術】
建築構造物の外壁としてモルタル塗装は多用されている。モルタルはセメントと砂を混ぜて水で練ったものであるが、亀裂が発生しやすく、その亀裂から雨水等が浸入し、化学変化を生じさせて壁面の劣化を生じさせるものとなる。
【０００３】
【非特許文献】
「塗装工事と防水工事のみやま塗装」パンフレット
【０００４】
【発明が解決しようとする課題】
本発明は上記モルタル塗装される建築構造物の外壁に於いて、上記亀裂問題を解消し且つ安全強固な補強が行われるようにする工法及び該工法で使用する座金を提供せんとするものである。
【０００５】
【課題を解決するための手段】
本発明は、ラス板上面にラス板を張ってモルタル塗りを施したモルタル外壁に対し、モルタル塗り上面の凡そ２０ｃｍ〜１００ｃｍの桝目間隔に凹穴を形成し、各凹穴に対し座金を嵌入させると共に、該座金を介しラス板に向かってネジ釘を打ち込み、ネジ釘先端をラス板に到達させたのち、各凹穴内にはモルタルを填入して座金が露出しないように仕上げ塗りを行うことを特徴とする。このさい、上記凹穴は深さ２ｍｍ〜５ｍｍ、表面積３ｃｍ２〜３０ｃｍ２になされるのであり、又座金は肉厚凡そ１ｍｍ〜２ｍｍ、直径２ｃｍ〜５ｃｍの金属製又は合成樹脂製の板状体表面に対し、凡そ３ｍｍ〜１０ｍｍの透孔を多数穿設したものとなすのであるが、とりわけ中央にネジ釘用として３ｍｍ〜１０ｍｍの透孔を穿設し、その周囲に２ｍｍ〜６ｍｍの透孔を等間隔に一列或いは複数列の同心円状に穿設したものとなしたりする。
【０００６】
【発明の実施の形態】
図面は本発明工法の実施説明図であって、図１Ａは一部破断平面図、同ＢはＡのＸ−Ｘ線部分拡大断面図である。
本図に於いて、１，１，・・・は建築物の構造材（支柱）、２，２，・・・は該構造物１，１，・・・間を横方向へ一定間隔に並設させるラス板であり、これらラス板上にはラス（金網）３をフエルト油紙４の介在下にタッカーを使用して、ラス板１に対して止着させるものとなす。
【０００７】
而して、ラス３上面に対してモルタル５を塗ってモルタル壁面が形成されるようになすのであり、これまでの作業工程は従来のものと変わりがない。
ところで、本発明では上記モルタル５上面に対して凡そ２０ｃｍ〜１００ｃｍの桝目間隔ｋに深さｔを２ｍｍ〜５ｍｍ、表面積ｓを３ｃｍ２〜３０ｃｍ２程度になした凹穴６を形成させるようになすのである。このさい、該凹穴６はモルタル塗りの下地段階では適宜型押し器具の使用で形成するが、既製壁面の補強工事ではグラインダーで研削形成させるのである。
【０００８】
７は上記形成の凹穴６内へ嵌入させてなる座金であって、該座金７は図２に示す如く表面に多数の透孔８が穿設したものとなされるのであり、その大きさ寸法は凡そ肉厚寸法ｅを１ｍｍ〜２ｍｍ程度、直径は２ｃｍ〜５ｃｍ程度となしたステンレスなどの金属製、或いはポリカーボネートなどの合成樹脂板製である。而して、透孔８の径寸法は凡そ３ｍｍ〜１０ｍｍのものとされるのであり、該透孔の１つは次述するネジ釘をラス板に向かって打ち込むさいに使用するものであり、その他は該座金を含む凹穴上面を被覆するべく填入させる仕上げ用モルタルが下地のモルタルと一体的に連通接合させるものとなって座金やネジ釘の密着性を高める効果が発揮される。
【０００９】
９はネジ釘であって上記凹穴６内へ嵌入させた座金７の透孔８の１つからラス板２に向かって打ち込み、その先端がラス板２へ到達して止着されるようになさしめる。即ち、本発明ではモルタル壁面の一定間隔（桝目間隔ｋ）位置に凹穴６を穿設し、該凹穴内へ上記の如き特殊構成の座金７を嵌入させると共に該座金７を介してネジ釘９をラス板２に向かって打ち込むことにより、モルタル壁面を強固な挟圧保持状態が得られるようになすのであり、上記に於ける桝目間隔ｋはモルタル壁の肉厚寸法ｈによって適宜異ならしめるが、通常の２ｃｍ〜４ｃｍの肉厚寸法範囲で本発明者の数多実験結果では、凡そ２０ｃｍ〜１００ｃｍの範囲、好ましくは２０ｃｍ〜６０ｃｍの間隔になされるのが良いことが解った。なお、ネジ釘９の長さ寸法は凡そ３ｃｍ〜５ｃｍのものとなされるのであり、またネジ釘の打込み配列で上下方向の隣接間隔を１／２ピッチのズレを生じさせる雁行状態になしたりすることが好ましい。
【００１０】
次に本発明では上記ネジ釘９の止着後に、凹穴６にモルタル生地１０を填入させて座金７の上面を被覆し、各座金が外表面に露出されないようになすのであり、該作業は各凹穴に対して部分的に行われるものとなしても良いが、全体的な塗装仕上げの工程で行われるようになしても良い。図３Ａは上記作業の行われた全体表面図、同図Ｂは同Ｘ−Ｘ線部分拡大断面図である。
【００１１】
図４は本発明方法で使用する座金７の他の例を示すものであって、本実施例では座金７’の中心に対しネジ釘用のために凡そ３ｍｍ〜１０ｍｍの透孔８’を穿設したものとなし、その周囲に２ｍｍ〜６ｍｍの透孔８”を等間隔に穿設したものである。図示例では透孔８’，８”を一列状に配列したものであるが、座金７”の径の大なるものでは更に同心或いは偏心状の多段に配列するようになすのであり、こさいは上下の各段の関係は千鳥配置となるようにすることが好ましい。
【００１２】
近年はサイディングと称される洋式建築の壁面が多用されるものとなっているが、モルタル壁は和式瓦を使用した日本建築にマッチしたものとして根強い人気があるものの、地震などの震動に弱いと言う問題があるのであるが、本発明による補強工法で上記問題点を払拭させることができた。
【００１３】
【発明の効果】
本発明は以上の通り構成するのであり、モルタル塗装壁面が特定間隔の範囲で下地材のラス板に対し、安定的な挟圧状態となして固着されるため、モルタル壁面が抱えている問題点即ち、経時的に必然的な発生が余儀なくされるヒビ割れやクラック及びその全体面への伝幡などを可及的に防止できるものとなり、且つ該部から侵入する雨水などによる劣化や剥脱落下などのトラブル問題を解消し、耐久性の飛躍的な向上が図れるものとなるのであり、且つ美観上も大変優れたものとなる。
【図面の簡単な説明】
【図１】本発明工法の実施説明図であって、１Ａは一部破断平面図、同ＢはＡのＸ−Ｘ線部分拡大断面図である。
【図２】本発明工法で使用する座金の斜視図である。
【図３】Ａは本発明工法の実施された壁面図、ＢはＡのＸ−Ｘ線部分拡大断面図である。
【図４】座金の他の例を示す斜視図である。
【符号の説明】
１      支柱
２      ラス板
３      ラス（金網）
４      フエルト（油紙）
５      モルタル
６      凹穴
７，７’    座金
８、８’    透孔
９      ネジ釘
【図１】
2004308367.tif 000003
【図２】
2004308367.tif 000004
【図３】
2004308367.tif 000005
【図４】
2004308367.tif 000006